(57)【特許請求の範囲】
【請求項１】
画像データを表示する表示手段と、
上記表示手段への電源投入後、オンスクリーンディスプレイにより、店頭展示モードあるいは通常使用モードかを選択する選択手段と、
上記表示手段に表示される画像データのサイズ及び位置を調整するサイズ調整手段と、
上記画像データの歪みを調整する歪調整手段と、
上記画像データの明るさを調整する明るさ調整手段と、
標準調整状態において、ユーザによって、上記明るさ調整手段、上記サイズ調整手段、あるいは上記歪み調整手段のうちいずれか１つの調整手段が操作された時点からの時間をカウントするカウンタと、
上記選択手段により上記店頭展示モードが選択されている場合には、上記ユーザにより上記いずれか１つの調整手段が操作され、上記カウンタが所定時間をカウント後に、上記サイズ調整手段、上記歪調整手段、および上記明るさ調整手段を上記標準調整状態に復帰させる制御をし、上記選択手段により上記通常使用モードが選択されている場合には、上記標準調整状態に復帰させる制御をしないＭＰＵと
を備えることを特徴とするディスプレイ装置。
【請求項２】
上記選択手段は、上記表示手段への電源投入後の最初の調整時にのみ、上記店頭展示モードあるいは上記通常使用モードかを選択することを特徴とする請求項１記載のディスプレイ装置。
【発明の詳細な説明】
【０００１】
【発明の属する技術分野】
本発明は、ディスプレイ装置に係り、特に、所定時間経過後に自動的に標準調整状態に戻すディスプレイ装置に関する。
【０００２】
【従来の技術】
従来のディスプレイ装置は、接続するパーソナルコンピュータやその設定解像度に合せて最良の状態で使用するためにＭＰＵによって明るさ、コントララスト、画面サイズ、画面位置、カラーコントロールなど各種の調整をユーザーが自由に設定できるようになっており、一旦調整手段を操作して設定を行うと、その設定がディスプレイの使用にあたって適切な設定状態であろうが不適切な設定状態であろうがその状態を維持するように設計されている。
【０００３】
この従来のディスプレイ装置の動作は、通常フロント部にある調整ボタンによってユーザーは各種手段の設定を行い、使用する度に調整をし直さなくても良いように、一旦調整をすると以後電源のＯＦＦ／ＯＮが有ったか否かに関わらずその状態を維持するように設計され、一旦調整手段を使って画面の設定を行えば以後いつでもその設定状態で装置を使用することができる。
【０００４】
【発明が解決しようとする課題】
しかしながら、従来の調整手段は、店頭における展示品などにおいては、来店した客が調整手段を操作して好き勝手に画面の設定を行い去った場合、その設定が非常に見苦しい設定の状態が維持され、次に別の客が見に来た時に装置の性能が悪いと勘違いをする課題があった。
【０００５】
また、単に自動復帰手段を設けてしまうと、顧客がその装置を購入し使用中であっても、好みの設定状態になっていたものが勝手に標準の設定に復帰してしまい使用に耐えられなくなってしまうこととなる。
【０００６】
そこで、本発明の目的は、店頭展示における装置性能の十分な伝達を実現し、通常使用時には好みの設定状態を維持するディスプレイ装置を提供することにある。
【０００７】
【課題を解決するための手段】
上述の課題を解決するために、本発明のディスプレイ装置は、画像データを表示する表示手段と、上記表示手段への電源投入後、オンスクリーンディスプレイにより、店頭展示モードあるいは通常使用モードかを選択する選択手段と、上記表示手段に表示される画像データのサイズ及び位置を調整するサイズ調整手段と、上記画像データの歪みを調整する歪調整手段と、上記画像データの明るさを調整する明るさ調整手段と、標準調整状態において、ユーザによって、上記明るさ調整手段、上記サイズ調整手段、あるいは上記歪み調整手段のうちいずれか１つの調整手段が操作された時点からの時間をカウントするカウンタと、上記選択手段により上記店頭展示モードが選択されている場合には、上記ユーザにより上記いずれか１つの調整手段が操作され、上記カウンタが所定時間をカウント後に、上記サイズ調整手段、上記歪調整手段、および上記明るさ調整手段を上記標準調整状態に復帰させる制御をし、上記選択手段により上記通常使用モードが選択されている場合には、上記標準調整状態に復帰させる制御をしないＭＰＵとを備えることを特徴とする。
【０００８】
また、上述の課題を解決するために、本発明のディスプレイ装置は、上記選択手段は、上記表示手段への電源投入後の最初の調整時にのみ、上記店頭展示モードあるいは上記通常使用モードかを選択することを特徴とする。
【０００９】
【発明の実施の形態】
次に、本発明の第１実施の形態によるディスプレイ装置を図面を参照して説明する。
【００１０】
図１は、本発明の第１実施の形態によるディスプレイ装置のブロック構成図である。
【００１１】
図２は、本発明の第１実施の形態によるディスプレイ装置のフローチャートである。
【００１２】
本発明の第１実施の形態によるディスプレイ装置は、図１に示すように、画像データ１を表示する表示手段９と、この表示手段９に表示される画像データ１のサイズ及び位置を調整するサイズ調整手段６と、画像データ１の歪みを調整する歪調整手段７と、画像データ１の明るさ及びコントラスのカラーを調整するカラー調整手段８と、このカラー調整手段８及びサイズ調整手段６、歪調整手段７の動作時間をカウントするカウンタ５と、このカウンタ５が所定時間をカウント後にサイズ調整手段６，歪調整手段７，カラー調整手段８を所定の標準調整に制御するＭＰＵ４とで構成される。
【００１３】
次に、本発明の第１実施の形態によるディスプレイ装置の動作を図面を参照して説明する。
【００１４】
本発明の第１実施の形態によるディスプレイ装置の動作は、図１及び図２に示すように、サイズ調整手段６，歪調整手段７，カラー調整手段８において標準調整状態にあり、来店した客が何らかの調整手段を操作することによって標準調整状態から外れた設定にされ、ＭＰＵ４が客が調整手段を操作をしてからの時間をカウンタ５でカウントし、ある一定時間が経過すると全ての調整手段を標準調整状態に復帰させることとなる。
【００１５】
従って、次の客が装置見に来た時には装置の性能を最も良く表すことのできる標準設定状態に戻っていることとなる。
【００１６】
次に、本発明の第２実施の形態によるディスプレイ装置の動作を図面を参照して説明する。
【００１７】
図３は、本発明の第２実施の形態によるディスプレイ装置のフローチャートである。
【００１８】
本発明の第２実施の形態によるディスプレイ装置の動作は、図３に示すように、電源投入後の最初の調整時においてのみ、ＯＳＤ（オンスクリーンディスプレイ）によって店頭展示（自動的に標準状態に復帰する）モードか通常使用（自動的に標準状態に復帰しない）モードかを選択する画面が表示される。
【００１９】
従って、店頭展示時には、店頭展示モードを選択することにより、本発明の第１実施の形態の動作が行われ、装置性能を十分に来店客に伝えることとなり、顧客が装置を購入した後に自分のパーソナルコンピュータに合せた設定を維持させる必要がある場合、通常使用モードを選択することによって顧客に合せた最適な状態が維持されることとなる。
【００２０】
【発明の効果】
以上説明したように、本発明のディスプレイ装置によれば、店頭展示時に装置の性能を効率よく来店客に伝えることができ、かつ通常使用時においても最適な調整状態を維持できる効果がある。
【図面の簡単な説明】
【図１】本発明の第１実施の形態によるディスプレイ装置のブロック構成図である。
【図２】本発明の第１実施の形態によるディスプレイ装置のフローチャートである。
【図３】本発明の第２実施の形態によるディスプレイ装置のフローチャートである。
【図４】従来の調整手段による店頭展示時の画面表示図である。
【符号の説明】
１  画像データ
２  電源
３  オンスクリーンディスプレイ（ＯＳＤ）
４  ＭＰＵ
５  タイマ
６  サイズ調整手段
７  歪調整手段
８  その他の調整手段
９  表示手段
【図１】
0004243381.tif 000002
【図２】
0004243381.tif 000003
【図３】
0004243381.tif 000004
【図４】
0004243381.tif 000005